(57)【要約】【課題】録画先の録画番組を整理（移動）し易くする録画再生装置を提供すること。【解決手段】録画再生装置は、予約録画情報に基づく番組の録画及び録画番組の再生を行なう録画再生手段と、各録画番組の録画条件、再生履歴、及びデータサイズのうちの少なくとも一つに基づき各録画番組の移動推薦度を算出し、算出結果に基づき移動推薦番組を案内する案内手段と、前記案内手段により案内された移動推薦番組の選択操作及び移動先の指定操作に対応して、選択された移動推薦番組を指定された移動先へ移動する移動手段とを備えている。【選択図】      図１
2007300439.tif 000002
【特許請求の範囲】
【請求項１】
予約録画情報に基づく番組の録画及び録画番組の再生を行なう録画再生手段と、
各録画番組の録画条件、再生履歴、及びデータサイズのうちの少なくとも一つに基づき各録画番組の移動推薦度を算出し、算出結果に基づき移動推薦番組を案内する案内手段と、
前記案内手段により案内された移動推薦番組の選択操作及び移動先の指定操作に対応して、選択された移動推薦番組を指定された移動先へ移動する移動手段と、
を備えたことを特徴とする録画再生装置。
【請求項２】
前記案内手段は、シリーズ化された一連の複数の録画番組を移動推薦番組として案内することを特徴とする請求項１に記載の録画再生装置。
【請求項３】
前記案内手段は、シリーズ化された一連の複数の録画番組を一括移動推薦番組として案内することを特徴とする請求項１に記載の録画再生装置。
【請求項４】
前記録画再生手段の動作に基づき嗜好性を学習する学習手段を備え、
前記録画再生手段は、前記学習手段の嗜好性学習に基づき所定の番組を録画し、
前記案内手段は、前記録画条件に含まれる嗜好性学習録画の有無を区別する情報に基づき各録画番組の移動推薦度を算出し、算出結果に基づき移動推薦番組を案内することを特徴とする請求項１に記載の録画再生装置。
【請求項５】
前記案内手段は、前記再生履歴に含まれる視聴の有無を区別する情報に基づき各録画番組の移動推薦度を算出し、算出結果に基づき移動推薦番組を案内することを特徴とする請求項１に記載の録画再生装置。
【請求項６】
前記案内手段は、前記録画条件に含まれる録画日時の情報に基づき各録画番組の移動推薦度を算出し、算出結果に基づき移動推薦番組を案内することを特徴とする請求項１に記載の録画再生装置。
【請求項７】
前記案内手段は、録画先の残容量変化に基づく所定のタイミングで移動推薦番組を案内することを特徴とする請求項１に記載の録画再生装置。
【請求項８】
前記移動手段は、指定された移動先の容量に応じて、選択された移動推薦番組を圧縮し、圧縮された移動推薦番組を指定された移動先へ移動することを特徴とする請求項１に記載の録画再生装置。
【請求項９】
前記移動手段は、指定された複数の移動先の何れか一つの移動先に対して、選択された複数の移動推薦番組のうちの少なくとも一つを移動することを特徴とする請求項１に記載の録画再生装置。
【請求項１０】
前記移動手段は、選択された移動推薦番組の番組情報に基づきこの移動推薦番組のビットレートを変換し、ビットレートが変換された移動推薦番組を指定された移動先へ移動することを特徴とする請求項１に記載の録画再生装置。
【請求項１１】
前記移動手段は、選択された移動推薦番組と同じカテゴリーの番組の過去の移動時の画質及び音質の条件に基づきこの移動推薦番組の画質及び音質を変換し、画質及び音質が変換された移動推薦番組を指定された移動先へ移動することを特徴とする請求項１に記載の録画再生装置。
【請求項１２】
前記案内手段は、予約録画情報に基づき録画先の容量不足発生のタイミングを予測し、この予測された容量不足発生のタイミングにより録画不能となる予約録画情報を案内するとともにこの予測された容量不足発生のタイミングを案内することを特徴とする請求項１に記載の録画再生装置。
【請求項１３】
前記案内手段は、予約録画情報に基づき録画先の容量不足発生のタイミングを予測し、この予測された容量不足発生のタイミングにより録画不能となる予約録画情報を案内するとともにこの予測された容量不足発生のタイミングを案内し、移動推薦番組の選択操作に対応して録画先の残容量の増加を予測し、この予測された録画先の残容量の増加に基づき録画先の容量不足発生のタイミングを再予測し、この再予測された容量不足発生のタイミングにより録画不能となる予約録画情報を案内するとともにこの再予測された容量不足発生のタイミングを案内することを特徴とする請求項１に記載の録画再生装置。
【請求項１４】
前記案内手段は、移動推薦番組の選択操作及び移動先の指定操作に対応して、移動先の必要容量を案内することを特徴とする請求項１に記載の録画再生装置。
【請求項１５】
前記案内手段は、移動推薦番組の選択操作及び移動先のメディアの指定操作に対応して、移動先のメディアの必要枚数を案内することを特徴とする請求項１に記載の録画再生装置。
【請求項１６】
各録画番組の録画条件、再生履歴、及び録画番組のデータサイズのうちの少なくとも一つに基づき各録画番組の移動推薦度を算出し、算出結果に基づき移動推薦番組を案内し、
移動推薦番組の選択操作及び移動先の指定操作に対応して、選択された移動推薦番組を指定された移動先へ移動する、
ことを特徴とする録画番組管理方法。
【発明の詳細な説明】
【技術分野】
【０００１】
本発明は、ハードディスク等に複数の番組を録画し、複数の録画番組の中から選択される所望の録画番組を再生する録画再生装置に関する。また本発明は、このような録画再生装置に適用可能な録画番組管理方法に関する。
【背景技術】
【０００２】
近年、ハードディスク等に複数の番組を録画し、再生メニューに一覧表示される複数の録画番組の中から選択される所望の録画番組を再生する録画再生装置の普及が目覚しい。
【０００３】
技術の進歩により、ハードディスクの大容量化はさらに進むものの、放送の高画質化及び多チャンネル化により、ハードディスクの容量不足の問題は常に付きまとう。ハードディスクの容量不足による録画エラーを回避する一つの策として、残り記録可能時間を表示したり、録画モードの変更を案内したりする技術が開示されている（特許文献１参照）。
【特許文献１】特開２００１−１６０２８１
【発明の開示】
【発明が解決しようとする課題】
【０００４】
残り記録可能時間が表示されたり、録画モードの変更が案内されたりしても、ハードディスクの残容量不足という根本的な問題は解消しない。ハードディスクの残容量を増やすためには、ハードディスク内の録画番組（データ）を整理（例えば移動）する必要がある。
【０００５】
しかしながら、上記したような大容量化されたハードディスクには膨大な数の番組が格納されているため、ハードディスク内の録画番組の整理は容易ではない。
【０００６】
本発明の目的は、上記課題を解決するためになされたものであり、録画先の録画番組を整理（移動）し易くする録画再生装置及び録画番組管理方法を提供することにある。
【課題を解決するための手段】
【０００７】
この発明の録画再生装置及び録画番組管理方法は、以下のように構成されている。
【０００８】
（１）この発明の録画再生装置は、予約録画情報に基づく番組の録画及び録画番組の再生を行なう録画再生手段と、各録画番組の録画条件、再生履歴、及びデータサイズのうちの少なくとも一つに基づき各録画番組の移動推薦度を算出し、算出結果に基づき移動推薦番組を案内する案内手段と、前記案内手段により案内された移動推薦番組の選択操作及び移動先の指定操作に対応して、選択された移動推薦番組を指定された移動先へ移動する移動手段とを備えている。
【０００９】
（２）この発明の録画番組管理方法は、各録画番組の録画条件、再生履歴、及び録画番組のデータサイズのうちの少なくとも一つに基づき各録画番組の移動推薦度を算出し、算出結果に基づき移動推薦番組を案内し、移動推薦番組の選択操作及び移動先の指定操作に対応して、選択された移動推薦番組を指定された移動先へ移動する。
【発明の効果】
【００１０】
本発明によれば、録画先の録画番組を整理（移動）し易くする録画再生装置及び録画番組管理方法を提供できる。
【発明を実施するための最良の形態】
【００１１】
以下、図面を参照し、本発明の実施形態について説明する。
【００１２】
図１は、本発明の一実施形態に係る情報記録再生装置（録画再生装置）の概略構成を示すブロック図である。
【００１３】
図１に示す情報記録再生装置は、ＤＶＤなどの光ディスク１０とハードディスク部１４の双方に番組を録画することができる。なお、この情報記録再生装置は、番組の録画先として、例えば半導体メモリを備えることもできる。
【００１４】
図１において、左側には記録部の主なブロックが示され、右側には再生部の主なブロックが示されている。情報記録再生装置は、ディスクドライブ部１２、ハードディスクドライブ部１４の２種類のディスクドライブ部を備える。ディスクドライブ部１２は、光ディスク１０を回転駆動し、情報の読み書きを実行する。ディスクドライブ部１２は、光ディスク１０に対する回転制御系、レーザ駆動系、光学系などを備える。また、ハードディスクドライブ部１４は、ハードディスクを駆動し、情報の読み書きを実行する。
【００１５】
また、情報記録再生装置は、データプロセッサ部１６を備え、このデータプロセッサ部１６は、ディスクドライブ部１２及びハードディスクドライブ部１４に記録データを供給し、また、ディスクドライブ部１２及びハードディスクドライブ部１４により読み出された再生データを受け取る。データプロセッサ部１６は、所定単位の記録データまたは再生データを処理し、バッファ回路、変調・復調回路、エラー訂正回路などを備える。
【００１６】
また、情報記録再生装置は、エンコーダ部３０、デコーダ部５０、マイクロコンピュータブロック７０を備えている。エンコーダ部３０には、スイッチ２０を介して、ＡＶ入力部１８ａからの外部アナログビデオ信号と外部アナログオーディオ信号が入力される。また、エンコーダ部３０には、スイッチ２０を介して、地上波アナログチューナ１８ｂ、地上波デジタルチューナ１８ｃ、衛星ＢＳ／ＣＳチューナ１８ｄ、衛星アナログチューナ１８ｅからの受信信号が選択的に入力される。例えば、この情報記録再生装置は、地上波デジタルチューナ１８ｃで受信した番組をハードディスクドライブ部１４により録画しつつ、同時に、衛星ＢＳ／ＣＳチューナ１８ｄで受信した番組をデコーダ５０により再生することができる。
【００１７】
エンコーダ部３０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。アナログデジタルコンバータは、入力されたアナログビデオ信号やアナログオーディオ信号をデジタル化する。主映像エンコーダはデジタルビデオ信号の主映像信号をエンコードし、オーディオエンコーダはデジタルオーディオ信号をエンコードし、副映像エンコーダはデジタルビデオ信号の副映像信号をエンコードする。より具体的には、ビデオエンコーダは、デジタルビデオ信号をＭＰＥＧ２またはＭＰＥＧ１規格に基づいて可変ビットレートで圧縮する。オーディオエンコーダは、デジタルオーディオ信号をＭＰＥＧまたはＡＣ−３規格に基づいて固定ビットレートで圧縮する。
【００１８】
ＡＶ入力部１８ａからの副映像信号（例えば副映像信号の独立出力端子付ＤＶＤビデオプレーヤからの信号）がエンコーダ部３０に対して入力された場合、あるいは副映像信号が含まれたＤＶＤビデオ信号がＴＶチューナ部で受信された場合は、ＤＶＤビデオ信号中の副映像信号が副映像エンコーダでエンコード（ランレングス符号化）されて副映像のビットマップとなる。
【００１９】
エンコーダ部３０からのエンコード出力信号は、フォーマッタ３２にて所定のＤＶＤのフォーマットに変換され、データプロセッサ部１６に供給される。なお、フォーマッタ３２には、バッファメモリ３４が接続されており、エンコード出力信号がバッファリングされる。具体的には、エンコードされたデジタルビデオ信号、デジタルオーディオ信号、副映像データは、フォーマッタ３２にてパック化され、ビデオパック、オーディオパック、副映像パックとなり、さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。
【００２０】
なお、トランスポートストリームから抽出したパケットエレメンタリーストリームが、エンコーダ部３０から直接ハードディスクドライブ部１４のハードディスクに記録される場合もある。
【００２１】
なお、エンコーダ部３０は、圧縮されたデジタルビデオ信号やデジタルオーディオ信号が直接入力されるときは、圧縮デジタルビデオ信号やデジタルオーディオ信号を直接フォーマッタ３２に供給することもできる。またエンコーダ部３０は、アナログデジタル変換されたデジタルビデオ信号やオーディオ信号を、ビデオミキシング部５６やオーディオセレクタ５２に直接供給することもできる。
【００２２】
フォーマッタ３２でフォーマットデータ（ビデオ、オーディオ、副映像データなどのパック）及び作成された管理情報は、データプロセッサ部１６を介してハードディスクドライブ部１４あるいはデータディスクドライブ部１２に供給され、ハードディスクあるいは光ディスク１０に記録される。またハードディスクあるいは光ディスク１０に記録されたフォーマットデータ及び管理情報は、データプロセッサ部１６、ディスクドライブ部１２を介して光ディスク１０あるいはハードディスクに記録することもできる（ハードディスク→光ディスク／光ディスク→ハードディスク）。
【００２３】
また、データプロセッサ部１６は、ハードディスクあるいは光ディスク１０に記録されている番組データを構成するビデオオブジェクトの一部を削除したり、異なる複数の番組を構成するビデオオブジェクトの一部をつなぎあわせたりする編集処理を行うこともできる。
【００２４】
マイクロコンピュータブロック７０は、ＭＰＵ（マイクロプロセッシングユニット）またはＣＰＵ（セントラルプロセッシングユニット）と、制御プログラム等が書きこまれたＲＯＭと、プログラム実行に必要なワークエリアを提供するためのＲＡＭとを備えている。さらに、マイクロコンピュータブロック７０は、電子番組ガイド（Electronic Program Guide）処理部７０１、録画制御部７０２、再生制御部７０３、編集処理部７０４、表示制御部７０５を備えている。
【００２５】
ＭＰＵの実行結果のうち、ユーザに通知すべき内容は、情報記録再生装置の表示部７４に表示されるか、または情報記録再生装置に接続されるモニターディスプレイにＯＳＤ（オンスクリーンディスプレイ）表示される。なお、表示部７４は、ＦＬ管又はＬＥＤを備え、情報記録再生装置の主電源がオフの状態でも、各種情報を表示することができる。
【００２６】
また、マイクロコンピュータブロック７０は、ネットワークインターフェース７２を介して、外部ネットワークに接続することが可能である。これにより、外部ネットワークを介して電子番組ガイド（Electronic Program Guide）を取り込むことも可能である。
【００２７】
また、マイクロコンピュータブロック７０は、ＳＴＣ（システムタイムクロック）４０からの時間データに基づいて、ディスクドライブ部１２、ハードディスクドライブ部１４、データプロセッサ部１６、エンコーダ部３０、デコーダ部５０などを制御する。なお、録画や再生の動作は、ＳＴＣ４０からのタイムクロックに同期して実行されるが、それ以外の処理はＳＴＣ４０とは独立したタイミングで実行されてもよい。
【００２８】
また、マイクロコンピュータブロック７０にはキー入力部７６からの操作入力信号が入力される。このキー入力部７６は、例えば情報記録再生装置の本体上に設けた操作スイッチ類及び本体から独立したリモートコントローラである。或いは、このキー入力部７６は、情報記録再生装置と有線通信あるいは無線通信により接続されるパーソナルコンピューターであってもよい。キー入力部７６は、例えば、番組ガイド表示キー、カレンダー表示キー、録画予約番組一覧表示キー、再生番組一覧表示キー、削除キー、決定キー、十字キーを備えており、この十字キーは、上下キー及び左右キーを備えている。このキー入力部７６を介しての操作入力（選択操作）に基づき、情報記録再生装置は、番組録画予約、番組録画予約に基づく番組録画、録画番組の再生、再生の停止、録画番組の編集（削除等）などを実行する。
【００２９】
デコーダ部５０は、セパレータ、メモリ、ビデオデコーダ（主映像デコーダ及び副映像デコーダ）、オーディオデコーダ、ビデオプロセッサを備えている。セパレータは、パック構造を持つＤＶＤフォーマットの信号から各パックを分離して取り出す。メモリは、パック分離やその他の信号処理実行時に使用される。主映像デコーダは、セパレータで分離された主映像データ（ビデオパックの内容）をデコードする。副映像デコーダは、セパレータで分離された副映像データ（副映像パックの内容）をデコードする。オーディオデコーダは、セパレータで分離されたオーディオデータ（オーディオパックの内容）をデコードする。ビデオプロセッサは、デコードされた主映像にデコードされた副映像（メニュー、ハイライトボタン、字幕など）を合成する。
【００３０】
デコーダ部５０から出力されるビデオ信号は、ビデオミキシング部５６に入力される。ビデオミキシング部５６は、例えばテキストデータを合成する。またビデオミキシング部５６には、ＡＶ入力部１８a、地上波アナログチューナ１８ｂ、地上波デジタルチューナ１８ｃ、衛星ＢＳ／ＣＳチューナ１８ｄ、衛星アナログチューナ１８ｅからの信号を直接取り込むラインが接続されている。ビデオミキシング部５６には、バッファとして用いるフレームメモリ５８が接続されている。ビデオミキシング部５６から出力されるアナログビデオ信号はＩ／Ｆ（インタフェース）７３を介してそのまま外部へ出力され、ビデオミキシング部５６から出力されるデジタルビデオ信号はデジタルアナログ変換器６２を介してアナログビデオ信号へ変換され外部（例えばモニタ６４）へ出力される。
【００３１】
デコーダ部５０から出力されるデジタルオーディオ信号は、セレクタ５２を介してデジタルアナログ変換器５４でアナログオーディオ信号へ変換され外部（例えばスピーカ）に出力される。セレクタ５２は、マイクロコンピュータブロック７０からのセレクト信号により制御される。これによりセレクタ５２は、ＡＶ入力部１８aや地上波デジタルチューナ１８ｃからのデジタル信号を直接モニタする時、エンコーダ部３０をスルーした信号を直接選択することも可能である。
【００３２】
なお、エンコーダ部３０のフォーマッタは、録画中、切り分け情報を作成し、定期的にマイクロコンピュータブロック７０のＭＰＵへ送る。切り分け情報には、ＶＯＢＵのパック数、ＶＯＢＵの先頭からのIピクチャのエンドアドレス、ＶＯＢＵの再生時間などが含まれる。
【００３３】
また、この情報記録再生装置は、録画番組を構成するデータにアクセス（シーク）している間に、途切れないで録画番組の再生を続けるために、最低限連続させなければならない情報単位を決めている。この情報単位の記録エリアをＣＤＡ（コンティギュアス・データ・エリア）と呼ぶ。ＣＤＡには、ＥＣＣ（エラー訂正コード）ブロック（１６セクタ）の倍数の情報が記録される。
【００３４】
データプロセッサ部１６は、エンコーダ部３０のフォーマッタからＶＯＢＵ単位のデータを受け取り、ＶＯＢＵ単位のデータからＣＤＡ単位のデータを生成し、ＣＤＡ単位のデータをディスクドライブ部１２あるいはハードディスクドライブ部１４に供給する。またマイクロコンピュータブロック７０のＭＰＵは、記録したデータを再生するのに必要な管理情報を作成し、データ記録終了のコマンドを認識すると、作成した管理情報をデータプロセッサ部１６に送る。これにより、管理情報が記録される。
【００３５】
次に、上記説明した情報記録再生装置による予約録画について説明する。番組ガイド表示キーの操作（押下）に対応して、マイクロコンピュータブロック７０の電子番組ガイド処理部７０１及び表示制御部７０５は、電子番組ガイドをモニタ６４に表示する。電子番組ガイドがモニタ６４に表示された状態での十字キーの操作（押下）に対応して、電子番組ガイドの各番組セル上をカーソルが移動する。所望の番組セルにカーソルが位置した状態での決定キーの操作（押下）に対応して、所望の番組が録画予約される。この手順の繰り返しで、複数の番組の録画を予約することができる。録画制御部７０２は、録画予約に基づき番組を録画する。
【００３６】
続いて、上記説明した情報記録再生装置による移動推薦機能について説明する。編集処理部７０４は、録画先（以下、ハードディスク）に格納された各録画番組の録画条件、再生履歴、及びデータサイズのうちの少なくとも一つに基づき各録画番組の移動推薦度を算出する。表示制御部７０５は、算出結果に基づき移動推薦番組の案内を出力する。録画制御部７０２は、案内された移動推薦番組の選択操作及び移動先の指定操作に対応して、選択された移動推薦番組を指定された移動先へ移動する。
【００３７】
録画条件には、録画モード（予約録画／自動録画、高画質／標準画質、…）、録画日時、コピーの有無などの情報が含まれる。予約録画は、文字通りユーザが予約した録画予約情報に基づく録画である。一方の自動録画とは、ユーザによる録画予約情報とは関係なく嗜好性の学習結果に基づく録画である。マイクロコンピュータブロック７０は、録画制御部７０２及び再生制御部７０３のうちの少なくとも一方の動作（録画予約、録画、再生）に基づき嗜好性を学習する。録画制御部７０２は、この嗜好性の学習結果に基づきユーザの好みの番組を電子番組ガイドから検索し、検索したユーザの好みの番組を自動録画する。自動録画に対する移動推薦値は、予約録画に対する移動推薦値より高く設定される。これは、予約録画にはユーザの意志が働いているのに対して、自動録画にはユーザの意志が働いていないからである。また、標準画質に対する移動推薦値は、高画質に対する移動推薦値より高く設定される。また、古い録画日時に対する移動推薦値は、新しい録画日時に対する移動推薦値より高く設定される。コピーの有無は、他の記録先にコピーされているか否かを示す情報である。コピー有りに対する移動推薦値は、コピー無しに対する移動推薦値より高く設定される。
【００３８】
再生履歴には、嗜好値、再生の有無、前回再生からの経過時間、未再生時間などの情報が含まれる（図５参照）。嗜好値は、マイクロコンピュータブロック７０による嗜好性の学習結果に基づき算出される。高い嗜好値に対しては移動推薦値は低く設定され、逆に低い嗜好値に対しては移動推薦値は高く設定される。再生の有無は、再生されたことがあるか否かを示す情報である。再生有りに対する移動推薦値は、再生無しに対する移動推薦値より高く設定される。前回再生からの経過時間は、過去に少なくとも一度再生されたことがあることを条件として、前回の再生からの経過時間を示す情報である。前回の再生からの経過時間が長いほど、高い移動推薦値が設定される。未再生時間は、過去に一度も再生されたことがないことを条件として、録画されてからの経過時間を示す情報である。未再生時間が長いほど、高い移動推薦値が設定される。
【００３９】
以上のことから、移動推薦値は、例えば以下のようにして算出される。
【００４０】
移動推薦値＝録画条件１（録画モード）×係数１＋録画条件２（録画日時）×係数２＋録画条件３（コピーの有無）×係数３＋再生履歴１（嗜好値）×係数４＋再生履歴２（再生の有無）×係数５＋再生履歴３（前回再生からの経過時間）×係数６＋再生履歴４（未再生時間）×係数７＋データサイズ×係数８
なお、上記した録画条件１〜３、再生履歴１〜４、データサイズは必須ではなく、少なくとも一つに基づき移動推薦値を算出することができる。また、係数１〜８の設定に応じて、録画条件１〜３、再生履歴１〜４、データサイズに対して重み付けすることができる。
【００４１】
また、上記だけでなく、シリーズ化された一連の複数の録画番組を移動推薦番組（一括移動推薦番組）として案内するようにしてもよい。図３は移動推薦番組の選択画面の一例を示す図であり、図３に示すように１ファイルのアイコンは１番組を示し、複数ファイルのアイコンは複数番組（シリーズ化された一連の複数番組）を示す。従って、複数ファイルのアイコンが選択（１回の選択操作での選択）されると、移動対象として複数番組が選択されたことになる。また、シリーズ化された一連の複数の録画番組（全ｎ話）の再生履歴を図５に示すようにして管理し、この再生履歴に基づきシリーズ化された一例の複数の録画番組の共通の移動推薦値を算出するようにしてもよい。図５に示すように、嗜好値については、全ｎ話の最高値が採用される。再生の有無については、再生済み話数／全話数（ｎ）が採用される。前回再生からの経過時間については、全ｎ話の最低値が採用される。未再生時間についても、全ｎ話の最低値が採用される。また、コピーの有無については、全ｎ話がコピーされている場合にコピー有りとして管理する。
【００４２】
続いて、図６〜図８に示すフローチャートを参照して、移動推薦処理について説明する。図６は、移動推薦機能への移行の一例を説明するためのフローチャートであり、図７は、移動推薦機能の一例を示すフローチャートであり、図８は、番組名選択処理の詳細を示すフローチャートである。
【００４３】
図６に示すように、録画制御部７０２は、録画予約情報及び録画番組情報（録画済みタイトル情報）に基づき、ハードディスクの残容量が０になる時期を計算する。なお、ハードディスクの残容量が所定容量を下回る時期（残容量が残り僅かになる時期）を計算するようにしてもよい。
【００４４】
表示制御部７０５は、計算結果に基づき、ハードディスクの残容量が０になる予測日が２週間以内であれば（ＳＴ１０１、ＹＥＳ）、容量不足を表示する（ＳＴ１０２）。或いは、表示制御部７０５は、計算結果に基づき、ハードディスクの残容量が所定容量を下回る予測日（残容量が残り僅かになる予測日）が２週間以内であれば（ＳＴ１０１、ＹＥＳ）、容量不足を表示する（ＳＴ１０２）。
【００４５】
さらに、表示制御部７０５は、ハードディスクに格納された録画番組の移動又は削除への移行メニューを表示する。仮に、録画再生装置の電源がＯＦＦの場合には、電源がＯＮになってから、移動又は削除への移行メニューを表示する。キー入力部７６の十字キー及び決定キーの操作により削除が選択されると（ＳＴ１０３、ＹＥＳ）、削除推薦機能が実行される（ＳＴ１０４）。移動が選択されると（ＳＴ１０３、ＹＥＳ）、移動推薦機能が実行される（ＳＴ１０５）。
【００４６】
図７に示すように、まず、キー入力部７６の十字キー及び決定キーの操作により移動先（ディスクや他の録画再生装置）が選択される（ＳＴ２０１）。例えば、図２に示すような移動先選択画面から、移動先が選択される。続いて、図３に示すような移動推薦番組の選択画面が表示される（ＳＴ２０２）。移動推薦番組の選択画面には、移動推薦度、番組名（タイトル）、及びハードディスク占有率が一覧表示される。さらに、移動推薦番組の選択画面には、録画制御部７０２により計算される、ハードディスクの残容量が０になる予測日又はハードディスクの残容量が所定容量を下回る予測日が表示される。さらに、移動推薦番組の選択画面には、録画予約情報のうち、録画できない番組名及びハードディスク占有率が一覧表示される。
【００４７】
キー入力部７６の十字キー及び決定キーの操作により移動対象の番組名が選択される（ＳＴ２０４）。ここで、図８を参照して、番組名選択処理の詳細について説明する。既に選択済みの番組名が再度選択されると（ＳＴ３０１、ＹＥＳ）、再度選択された番組名に対する移動マークが消去される（ＳＴ３０３）。未選択の番組名が選択されると（ＳＴ３０１、ＮＯ）、選択された番組名に対して移動マークが表示される（ＳＴ３０２）。
【００４８】
さらに、録画制御部７０２は、選択された番組名を指定した移動先メディア（例えばＤＶＤ−ＲＡＭ）に移動する場合に必要となる移動先メディアの枚数を計算する（ＳＴ３０４）。このとき、録画制御部７０２は、例えば、品質優先で選択された番組名を指定した移動先メディアへ移動することを条件として、必要となる移動先メディアの枚数を計算する。さらに、録画制御部７０２は、選択された番組名を指定した移動先メディアへ移動した後、ハードディスクの残容量の増加を予測する。つまり、録画制御部７０２は、選択された番組名を指定した移動先メディアへ移動した後、ハードディスクの空き容量を再計算する（ＳＴ３０５）。再び、録画制御部７０２は、録画予約情報及び録画番組情報（録画済みタイトル情報）に基づき、ハードディスクの残容量が０になる時期を再計算する（ＳＴ３０６）。なお、ハードディスクの残容量が所定容量を下回る時期（残容量が残り僅かになる時期）を再計算するようにしてもよい（ＳＴ３０６）。さらに、録画制御部７０２は、録画予約情報のうち録画できない番組名をリストアップする（ＳＴ３０７）。表示制御部７０５は、ハードディスクの残容量が０になる予測日を再表示するとともに、録画予約情報のうち録画できない番組名及びハードディスク占有率を再表示する（ＳＴ３０８）。或いは、表示制御部７０５は、ハードディスクの残容量が所定容量を下回る予測日を再表示するとともに、録画予約情報のうち録画できない番組名及びハードディスク占有率を再表示する（ＳＴ３０８）。さらに、表示制御部７０５は、移動先メディアの必要枚数も表示する。
【００４９】
再び図７に戻り説明する。タイトル選択処理（ＳＴ２０４）が完了すると、図４に示す移動条件選択画面が表示される（ＳＴ２０５）。この移動条件選択画面には、例えば、枚数優先（移動に際して移動先メディアの枚数を優先する処理）、品質優先（移動に際して移動する録画番組の品質を優先する処理）、嗜好優先（移動に際して移動する録画番組の嗜好性を優先する処理）、及び移動中止の４つの選択肢が含まれる。
【００５０】
枚数優先が選択されると（ＳＴ２０６、ＹＥＳ）、録画制御部７０２は、指定した移動先メディアの枚数に応じて、選択された移動推薦番組を移動する（ＳＴ２０７）。例えば、録画制御部７０２は、指定された移動先の全容量に応じて、選択された移動推薦番組を圧縮し、圧縮された移動推薦番組を指定された移動先メディアへ移動する。ここで言う圧縮とは、ビットレート変換やフォーマット変換（例えばＭＰＥＧ２→Ｈ．２６４）のことを指す。さらに、録画制御部７０２は、指定された複数の移動先メディアの何れか一つの移動先メディアに対して、選択された複数の移動推薦番組のうちの少なくとも一つの移動推薦番組を移動する。つまり、一つの移動推薦番組を分割して、複数の移動先メディアに移動するようなことはしない。
【００５１】
品質優先が選択されると（ＳＴ２０６、ＹＥＳ）、録画制御部７０２は、指定した移動先メディアに、所定の品質で選択された移動推薦番組を移動する（ＳＴ２０８）。例えば、録画制御部７０２は、選択された移動推薦番組の番組情報（番組の内容）に基づきこの移動推薦番組のビットレートを変換し、ビットレートが変換された移動推薦番組を指定された移動先メディアへ移動する。例えば、選択された移動推薦番組がアニメである場合には、高ビットレートから低ビットレートへ変換する。
【００５２】
嗜好優先が選択されると（ＳＴ２０６、ＹＥＳ）、録画制御部７０２は、指定した移動先メディアに、嗜好優先で選択された移動推薦番組を移動する（ＳＴ２０９）。例えば、録画制御部７０２は、選択された移動推薦番組と同じカテゴリーの番組の過去の移動時の画質及び音質の条件に基づきこの移動推薦番組の画質及び音質を変換し、画質及び音質が変換された移動推薦番組を指定された移動先へ移動する。
【００５３】
続いて、上記説明した情報記録再生装置によるカレンダー機能について説明する。カレンダー表示キーの操作（押下）に対応して、マイクロコンピュータブロック７０の表示制御部７０５は、図９に示すような一月分のカレンダーをモニタ６４に表示する。このカレンダーは、１列で１週間を示し１行で同一曜日の異なる複数の日を示す行列により複数週を示すとともに行列により構成される複数のセルのうちの１セルで１日を示す。
【００５４】
このカレンダーの過去の日付に対応する過去セルには、録画番組情報が書き加えられ、未来の日付に対応する未来セルには、録画予約情報が書き加えられている。なお、このカレンダーの現在の日付に対応する現在セルには、録画番組情報及び録画予約情報が混在する。これら現在セル、過去セル、及び未来セルは、色分け等により区別して表示される。図９に示すカレンダーにおいては、１８日を示すセルにカーソルが位置している状態である。なお、図９に示す１日単位のカレンダー以外に、週単位や月単位のカレンダーでもよい。
【００５５】
また、図９に示すカレンダーは、例えば１画面中に１ヶ月分のスケジュール概要を表示することを優先しており、そのため１セルあたりの表示可能な情報量には限界がある。つまり、１セルあたりの表示可能な情報量が定められている。仮に、１セルに対して表示すべき録画番組情報又は録画予約情報の情報量が１セルで表示可能な情報量を超える場合、表示制御部７０５は、表示優先度に基づき１セルで表示する録画予約情報又は録画番組情報を絞り込んで表示する。表示優先度は、例えば、放送時間、嗜好学習結果に基づく推薦度、再生状態（未再生／再生済）、及び放送の規則性（毎週、毎日）に基づき決定される。
【００５６】
また、図９に示すカレンダーには、上記した録画予約情報及び録画番組情報に加えて、図１０に示すような各種マークが表示される。例えば、録画予約情報（タイトル）に対応付けて、録画中であることを示すマークが表示される（図９の１８日を示すセルの中の「ニュースＢ」に対応付けられたマーク参照）。
【００５７】
また、推薦番組があれば、推薦番組情報（タイトル）に対応付けて、推薦番組であることを示すマークが表示される（図９の１日を示すセルの中の「野球中継」に対応付けられたマーク参照、さらに図９の２３日を示すセルの中の「野球中継」に対応付けられたマーク参照）。例えば、推薦番組情報は、嗜好性の学習結果及び電子番組ガイドに基づき検索される。マイクロコンピュータブロック７０は、録画制御部７０２及び再生制御部７０３のうちの少なくとも一方の動作（録画予約、録画、再生）に基づき嗜好性を学習し、推薦番組情報はこの嗜好性の学習結果及び電子番組ガイドに基づき検索される。例えば、嗜好性の学習結果から、ユーザの好みが野球中継であることが判明すれば、電子番組ガイドから野球中継が検索され、野球中継を示す番組情報（タイトル）に対して推薦番組であることを示すマークが付与される。
【００５８】
また、録画先の容量不足等が原因で録画予約情報に基づく録画が失敗した場合には、この録画予約情報に対応付けて録画失敗情報が表示される（例えば図９の１７日を示すセルの中の「ドラマＡ」に対応付けられたマーク参照）。
【００５９】
また、自動削除条件が設定（嗜好性の学習結果に基づき自動録画された番組であって所定期間経過した番組は自動削除するなどの設定）されている場合には、自動削除の対象となる録画番組情報に対応付けて自動削除情報が表示される（例えば図９の２２日を示すセルの中の「ワールドサッカー」に対応付けられたマーク参照）。なお、編集処理部７０４は、自動削除条件の設定に基づき、自動削除条件に該当した録画番組を自動削除する。
【００６０】
また、録画予約情報に基づく録画容量不足の発生予測日以降のセル上に録画容量不足発生情報が表示される（例えば図９の３０日以降を示す各セルに対応付けられたマーク参照）。この録画容量不足発生情報を見て、ユーザは近い将来に録画先（例えばハードディスク）の容量不足により録画が失敗する可能性があることを知ることができる。さらに、録画予約情報に基づく録画容量不足の発生予測が、表示部７４のＦＬ管又はＬＥＤにより案内表示される。ＦＬ管又はＬＥＤにより、情報記録再生装置の主電源がオフの状態でも、録画容量不足の発生予測を知ることができる。
【００６１】
続いて、図１１を参照して、カレンダーが表示された状態でのキー入力部７６を介してのキー入力操作による各種機能について説明する。カレンダーが表示され、カレンダーの過去セル上にカーソルが位置した状態で決定キーが押下（過去セルの選択操作）されると、表示制御部７０５は、選択された過去セルが示す日付に録画された番組情報を一覧出力する。さらに、この一覧の中の所定の番組情報上にカーソルが位置した状態で決定キーが押下されると、再生制御部７０３は、所定の番組の再生を開始する。
【００６２】
カレンダーの現在セル上にカーソルが位置した状態で決定キーが押下（現在セルの選択操作）されると、表示制御部７０５は、選択された現在セルが示す日付に録画予約可能な番組情報の一覧（番組表）と実際に録画された番組情報の一覧とを選択する選択メニューを出力する。選択メニューを介して録画予約可能な番組情報の一覧が選択されると、表示制御部７０５は、現在セルが示す日付に録画予約可能な番組情報の一覧（番組表）を出力する（ＳＴ１０６）。さらに、この一覧の中の所定の番組情報上にカーソルが位置した状態で決定キーが押下されると、録画制御部７０２は、所定の番組の録画を予約する。選択メニューを介して実際に録画された番組情報の一覧が選択されると、表示制御部７０５は、現在セルが示す日付で実際に録画された番組情報の一覧を出力する。さらに、この一覧の中の所定の番組情報上にカーソルが位置した状態で決定キーが押下されると、再生制御部７０３は、所定の番組の再生を開始する。
【００６３】
カレンダーの未来セル上にカーソルが位置した状態で決定キーが押下（未来セルの選択操作）されると、表示制御部７０５は、選択された未来セルが示す日付に録画予約可能な番組情報の一覧（番組表）を出力する。なお、選択された未来セルが示す日付であって且つ現在時刻を初期値とした電子番組ガイドを表示するようにしてもよい。さらに、この一覧の中の所定の番組情報上にカーソルが位置した状態で決定キーが押下されると、録画制御部７０２は、所定の番組の録画を予約する。
【００６４】
なお、セル上にマークが表示されている場合には、表示されているマークに応じた選択メニューが出力される。例えば、自動削除を示すマークが表示されている場合には、表示制御部７０５は、削除候補の一覧と選択された未来セルが示す日付に録画予約可能な番組情報の一覧（番組表）とを選択する選択ニューを出力する。
【００６５】
選択メニューを介して録画予約可能な番組情報の一覧が選択されると、表示制御部７０５は、未来セルが示す日付に録画予約可能な番組情報の一覧（番組表）を出力する。さらに、この一覧の中の所定の番組情報上にカーソルが位置した状態で決定キーが押下されると、録画制御部７０２は、所定の番組の録画を予約する。
【００６６】
選択メニューを介して削除候補の一覧が選択されると、表示制御部７０５は、削除候補の一覧を出力する。さらに、この一覧の中の所定の番組情報上にカーソルが位置した状態でのキー操作により、所定の番組が即削除されたり、移動されたり、再生されたり、保護（削除禁止状態）されたりする。
【００６７】
或いは、録画容量不足発生を示すマークが表示されている場合には、表示制御部７０５は、削除推薦候補の一覧と移動推薦候補の一覧と選択された未来セルが示す日付に録画予約可能な番組情報の一覧（番組表）とを選択する選択ニューを出力する。
【００６８】
選択メニューを介して録画予約可能な番組情報の一覧が選択されると、表示制御部７０５は、未来セルが示す日付に録画予約可能な番組情報の一覧（番組表）を出力する。さらに、この一覧の中の所定の番組情報上にカーソルが位置した状態で決定キーが押下されると、録画制御部７０２は、所定の番組の録画を予約する。
【００６９】
選択メニューを介して削除推薦候補の一覧が選択されると、表示制御部７０５は、削除推薦候補の一覧を出力する。さらに、この一覧の中の所定の番組情報上にカーソルが位置した状態でのキー操作により、所定の番組が即削除されたり、移動されたり、再生されたりする。
【００７０】
選択メニューを介して移動推薦候補の一覧が選択されると、表示制御部７０５は、図３に示すように移動推薦候補の一覧を出力する。さらに、この一覧の中の所定の番組情報上にカーソルが位置した状態でのキー操作により、所定の番組が移動される。
【００７１】
或いは、自動削除を示すマークと録画容量不足発生を示すマークとが表示されている場合には、表示制御部７０５は、削除候補の一覧と削除推薦候補の一覧と移動推薦候補の一覧と選択された未来セルが示す日付に録画予約可能な番組情報の一覧（番組表）とを選択する選択ニューを出力する。選択メニューを介しての選択操作は、上記説明と重複するので、説明を省略する。
【００７２】
なお、図２〜図８を参照して移動推薦について説明したが（特に図３には移動推薦番組の選択画面の一例を示したが）、複写推薦又は削除推薦に置き換えることも可能である。
【００７３】
以上により、録画先の残容量が不足している、或いは残容量が無い、或いはその理由で予約録画が実行不可と予測される場合に、以下の作用効果が得られる。
【００７４】
（１）簡単操作で適当な録画番組（移動推薦値に基づき算出された移動推薦番組）を移動できる。
【００７５】
（２）簡単操作でシリーズ化された一連の複数の録画番組を移動できる。
【００７６】
（３）簡単操作で移動先の容量（移動先メディアの枚数）に応じて録画番組を圧縮して移動できる。
【００７７】
（４）簡単操作で録画番組の内容に応じて録画番組を圧縮して移動できる。
【００７８】
（５）簡単操作でユーザの嗜好に応じて録画番組を圧縮して移動できる。
【００７９】
（６）ハードディスク等に格納されている録画番組の移動に対応して、ハードディスクの残容量を再計算し、録画できない予約録画実行不可リストが更新される。これにより、必要最小限の録画番組の移動に留めることができる。
【００８０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００８１】
【図１】図１は、本発明の一実施形態に係る情報記録再生装置（録画再生装置）の概略構成を示すブロック図である。
【図２】図２は、移動先の選択画面の一例を示す図である。
【図３】図３は、移動推薦番組の選択画面の一例を示す図である。
【図４】図４は、移動条件の選択画面の一例を示す図である。
【図５】図５は、移動推薦度導出パラメータを説明するための図である。
【図６】図６は、移動推薦機能への移行の一例を説明するためのフローチャートである。
【図７】図７は、移動推薦機能の一例を示すフローチャートである。
【図８】図８は、番組名選択処理の詳細を示すフローチャートである。
【図９】図９は、カレンダー機能により表示されるカレンダーの一例を示す図である。
【図１０】図１０は、カレンダー上に表示される各種マークとこれらマークの意味との対応を示す図である。
【図１１】図１１は、カレンダー上のカーソル位置と選択操作（決定キーの押下）後の動作の関係を示す図である。
【符号の説明】
【００８２】
１２…ディスクドライブ部、１４…ハードディスク部、３０…エンコーダ部、５０…デコーダ部、７０…マイクロコンピュータブロック、７０１…電子番組ガイド処理部、７０２…録画制御部、７０３…再生制御部、７０４…編集処理部、７０５…表示制御部
【図１】
2007300439.tif 000003
【図２】
2007300439.tif 000004
【図３】
2007300439.tif 000005
【図４】
2007300439.tif 000006
【図５】
2007300439.tif 000007
【図６】
2007300439.tif 000008
【図７】
2007300439.tif 000009
【図８】
2007300439.tif 000010
【図９】
2007300439.tif 000011
【図１０】
2007300439.tif 000012
【図１１】
2007300439.tif 000013